(57)【要約】【課題】マウント部に塵埃が付着することを防ぎ、また付着した塵埃を除去することが可能なマウントキャップを提供する。【解決手段】マウントキャップ６０は、キャップ本体６１、弾性部材６２、爪部材６３、及び止めネジ６４からなり、ボディ側マウント部１３に取り付けられる。爪部材６３は、ボディ側マウント部１３と噛み合うバヨネット爪を有する。弾性部材６２は、突出部７５及びリブ７６が一体に形成されている。マウントキャップ６０がボディ側マウント部１３に装着されるとき、円環状に形成されたリブ７６がボディ側マウント部のベース部材２１に密着するとともに、バリア部材２６に固定されたグランド部材２７に突出部７５が密着する。【選択図】図７
2008015016.tif 000002
【特許請求の範囲】
【請求項１】
撮影レンズ及び撮像素子を内装するレンズユニットが着脱自在に装着される略円環状のマウント本体、このマウント本体に近接する位置に設けられ、前記レンズユニットと電気信号の授受を行う電気信号接点、前記マウント本体の開口部を塞ぐバリア部材、及びこのバリア部材に固定され、前記レンズユニットのグランド接点と接触するグランド部材を設けたボディ側マウント部を備えるカメラボディに対して前記レンズユニットが取り外されたとき、前記ボディ側マウント部に装着されて前記電気信号接点及び前記カメラボディ内部を保護するマウントキャップにおいて、
前記マウント本体の外形に合わせた略円環状のリブと、前記グランド部材の位置及び形状に合わせた突出部とを一体に形成した弾性部材と、前記マウント本体と着脱自在に結合するキャップ側マウント部と、前記弾性部材及び結合部が固着されたキャップ本体とからなり、前記リブを前記マウント本体に密着させるとともに、前記マウント本体の開口部を通して前記突出部を前記グランド部材に当接させた状態で前記キャップ側マウント部を前記ボディ側マウント部に結合させることを特徴とするマウントキャップ。
【請求項２】
前記キャップ側マウント部は、前記マウント本体の内部へ挿入する挿入動作の後、前記マウント本体に対して回転させる回転動作を行うことによって前記マウント本体と結合状態となり、前記弾性部材は、前記突出部の略中央に塵埃を吸着する吸着体が設けられるとともに、前記吸着体の周囲且つ前記グランド部材に合わせた位置に配された摺動突起部が前記突出部の先端から一体に形成されており、前記回転動作を行うときに前記摺動突起部が前記グランド部材に対して摺動することで前記グランド部材の表面に付着した塵埃を取り除いて前記吸着体へ誘い込むことを特徴とする請求項１記載のマウントキャップ。
【請求項３】
撮影レンズ及び撮像素子を内装するレンズユニットが着脱自在に装着される略円環状のマウント本体、このマウント本体に近接する位置に設けられ、前記レンズユニットと電気信号の授受を行う電気信号接点、前記マウント本体の開口部を塞ぐバリア部材、及びこのバリア部材に固定され、前記レンズユニットのグランド接点と接触するグランド部材を設けたボディ側マウント部を備えるカメラボディに対して前記レンズユニットが取り外されたとき、前記ボディ側マウント部に装着されて前記電気信号接点及び前記カメラボディ内部を保護するマウントキャップにおいて、
前記マウント本体の内部に挿入する挿入動作後、前記マウント本体に対して回転させる回転動作を行うことによって前記マウント本体と結合するキャップ側マウント部、塵埃なを吸着する吸着体と、この吸着体の周囲且つ前記グランド部材に合わせた位置に設けられた摺動突起部とを備え、前記回転動作を行うときに前記摺動突起部が前記グランド部材に対して摺動することで前記グランド部材の表面に付着した塵埃を取り除いて前記吸着体へ誘い込むことを特徴とするマウントキャップ。
【発明の詳細な説明】
【技術分野】
【０００１】
本発明は、マウントに装着するマウントキャップに関する。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。レンズ交換型のデジタルカメラの場合、レンズユニットとカメラボディとの間でデータの転送を行うために、それぞれのマウント部に備えた電気接点を介して電気信号の授受を行う必要があることから、レンズユニットの装着時に互いの電気信号接点が接触状態となり、これらの電気信号接点を介してデータ転送を行う構成が一般的である。
【０００３】
さらに最近では、デジタルカメラの新しい構成として、例えば特許文献１に記載されているように、交換用のカメラヘッド（レンズユニット）に撮影レンズと、ＣＣＤなどのイメージセンサとを内蔵し、このイメージセンサで取得した撮像信号に基づく画像データをカメラヘッドからカメラ本体(カメラボディ）へ転送し、カメラ本体に内蔵された記憶媒体に記憶する構成とすることが考えられている。このような構成にした場合、レンズユニットとカメラボディとの間で画像データなど大容量のデータ転送を行うため、マウント部に設けた電気接点を汚れや酸化膜の形成さら保護することが重要であり、これらの電気接点を確実に保護し、接触不良などのトラブルを防ぐことが望まれている。そこで、特許文献１では、カメラヘッド及びカメラ本体のマウント部にそれぞれ装着するマウントキャップについて記載されている。
【０００４】
また、特許文献２に記載のデジタルカメラでは、カメラボディの内部且つマウント部の背面側にバリア部材を設け、レンズユニットを取り外したときは、バリア部材がマウント部の開口を塞いで塵埃の進入を防ぐとともに電気信号接点を保護しており、レンズユニットの装着時には、バリア部材が移動して電気信号接点が露呈するカメラボディの構成が記載されている。
【０００５】
さらにまた、特許文献３では、レンズ鏡筒などをカメラボディに取り付けたときに両者が水密に結合されるようにした防水マウント機構が記載されていおり、カメラ側マウントの外周に弾性部材を設けており、レンズ鏡筒のアクセサリ側マウントをカメラ側マウントに嵌合させてレンズ鏡筒をカメラに装着させると、レンズ側マウントに弾性部材が密着してレンズ鏡筒とカメラとの間の防水性が高まる。
【特許文献１】特開２００５−２８３７５６号公報
【特許文献２】特開平８−１７１１３０号公報
【特許文献３】特開平１１−１７４５６２号公報
【発明の開示】
【発明が解決しようとする課題】
【０００６】
しかしながら、上記特許文献１記載のマウントキャップでは、カメラボディにマウントキャップを装着しているときは、塵埃から保護されているが、レンズユニットをカメラボディから取り外してマウントキャップを取り付けるまでの間にマウントに塵埃が付着する場合などについては考慮されていない。よって、マウントの内部に塵埃が進入すると電気信号接点の接触状態などに影響するため、マウントに付着した塵埃を取り除かなくてはならない。
【０００７】
また、上述特許文献２記載のデジタルカメラでは、バリア部材がバネの付勢によってマウント部を塞ぐ位置に付勢されているが、鞄や衣服の中などにカメラボディを入れたりすると、ユーザーの指などでバリア部材を押してしまってマウント部の内側が露呈することが考えられる。よって、不使用時には、マウント部にキャップを取り付けることが求められているが、上記特許文献２記載のカメラでは、マウント部にキャップを取り付けることは記載されていない。もし、特許文献１記載のカメラに従来のマウントキャップを装着したとしても、バリア部材に塵埃が付着している可能性があり、バリア部材が可動したときにその塵埃がカメラボディの内部へ進入する可能性がある。
【０００８】
また、特許文献３のような防水マウント構造でマウントキャップをマウント部に密着させたとしても、マウント部のバリア部材に付着する塵埃については取り除くことはできず、やはり塵埃が進入してしまう可能性が高い。
【０００９】
本発明は上記事情を鑑みてなされたものであり、マウント部に塵埃が付着することを防ぎ、またマウント部のグランド部材に付着した塵埃を除去することが可能なマウントキャップを提供することを目的とする。
【課題を解決するための手段】
【００１０】
上記課題を解決するために、本発明のマウントキャップでは、撮影レンズ及び撮像素子を内装するレンズユニットが着脱自在に装着される略円環状のマウント本体、このマウント本体に近接する位置に設けられ、前記レンズユニットと電気信号の授受を行う電気信号接点、前記マウント本体の開口部を塞ぐバリア部材、及びこのバリア部材に固定され、前記レンズユニットのグランド接点と接触するグランド部材を設けたボディ側マウント部を備えるカメラボディに対して前記レンズユニットが取り外されたとき、前記ボディ側マウント部に装着されて前記電気信号接点及び前記カメラボディ内部を保護するマウントキャップにおいて、前記マウント本体の外形に合わせた略円環状のリブと、前記グランド部材の位置及び形状に合わせた突出部とを一体に形成した弾性部材と、前記マウント本体と着脱自在に結合するキャップ側マウント部と、前記弾性部材及び結合部が固着されたキャップ本体とからなり、前記リブを前記マウント本体に密着させるとともに、前記マウント本体の開口部を通して前記突出部を前記グランド部材に当接させた状態で前記キャップ側マウント部を前記ボディ側マウント部に結合させることを特徴とする。
【００１１】
なお、前記キャップ側マウント部は、前記マウント本体の内部へ挿入する挿入動作の後、前記マウント本体に対して回転させる回転動作を行うことによって前記マウント本体と結合状態となり、前記弾性部材は、前記突出部の略中央に塵埃を吸着する吸着体が設けられるとともに、前記吸着体の周囲且つ前記グランド部材に合わせた位置に配された摺動突起部が前記突出部の先端から一体に形成されており、前記回転動作を行うときに前記摺動突起部が前記グランド部材に対して摺動することで前記グランド部材の表面に付着した塵埃を取り除いて前記吸着体へ誘い込むことが好ましい。
【００１２】
また、請求項３のマウントキャップでは、撮影レンズ及び撮像素子を内装するレンズユニットが着脱自在に装着される略円環状のマウント本体、このマウント本体に近接する位置に設けられ、前記レンズユニットと電気信号の授受を行う電気信号接点、前記マウント本体の開口部を塞ぐバリア部材、及びこのバリア部材に固定され、前記レンズユニットのグランド接点と接触するグランド部材を設けたボディ側マウント部を備えるカメラボディに対して前記レンズユニットが取り外されたとき、前記ボディ側マウント部に装着されて前記電気信号接点及び前記カメラボディ内部を保護するマウントキャップにおいて、前記マウント本体の内部に挿入する挿入動作後、前記マウント本体に対して回転させる回転動作を行うことによって前記マウント本体と結合するキャップ側マウント部、塵埃を吸着する吸着体と、この吸着体の周囲且つ前記グランド部材に合わせた位置に設けられた摺動突起部とを備え、前記回転動作を行うときに前記摺動突起部が前記グランド部材に対して摺動することで前記グランド部材の表面に付着した塵埃を取り除いて前記吸着体へ誘い込むことを特徴とする。
【発明の効果】
【００１３】
本発明のマウントキャップによれば、マウント本体の外形に合わせた略円環状のリブと、グランド部材の位置及び形状に合わせた突出部とを一体に形成した弾性部材と、マウント本体と着脱自在に結合するキャップ側マウント部と、前記弾性部材及び結合部が固着されたキャップ本体とからなり、リブをマウント本体に密着させるとともに、マウント本体の開口部を通して突出部をグランド部材に当接させた状態でキャップ側マウント部をボディ側マウント部に結合させているので、マウント部に塵埃が付着することを防ぎ、またマウント部のグランド部材に付着した塵埃を除去することができる。
【００１４】
また、本発明では、マウント本体の内部に挿入する挿入動作後、マウント本体に対して回転させる回転動作を行うことによってマウント本体と結合するキャップ側マウント部、塵埃を吸着する吸着体と、この吸着体の周囲且つ前記グランド部材に合わせた位置に設けられた摺動突起部とを備え、回転動作を行うときに摺動突起部がグランド部材に対して摺動することでグランド部材の表面に付着した塵埃を取り除いて前記吸着体へ誘い込んでいるので、グランド部材に付着した塵埃をさらに確実に除去することができる。
【発明を実施するための最良の形態】
【００１５】
本実施形態を適用したデジタルカメラ及びマウントキャップについて以下に説明する。図１において、デジタルカメラ１０は、カメラボディ１１とレンズユニット１２とから構成されたカメラシステムであり、レンズユニット１２は、カメラボディ１１に着脱自在に装着される。そして図２に示すように、カメラボディ１１からレンズユニット１２を取り外したとき、本発明のマウントキャップ１５がカメラボディ１１に装着可能となる。カメラボディ１１には、ボディ側マウント部１３が設けられており、レンズユニット１２には、レンズ側マウント部１４が設けられている。これらのマウント部１３，１４を結合することによってレンズユニット１２がカメラボディ１１に装着され、デジタルカメラ１０が使用可能な状態となる。
【００１６】
ボディ側マウント部１３は、図３に示すように、リング状に形成されたベース部材２１と、このベース部材２１と一体に形成された３つのバヨネット爪２２ａ〜ｃと、レンズユニット１２との電気的接続のための接点基板２４ａ〜ｃと、ベース部材２１の開口部を塞ぐ塞ぎ位置、及びこの塞ぎ位置から後退する退避位置の間で移動可能に取り付けられたバリア部材２６と、このバリア部材２６に固定され、レンズユニット１２のグランド接点に接触するグランド部材２７と、コイルバネ２８（図７参照）と、ロックピン２９とを有する。なお、図３においては、マウント部１３の構成を表しやすくするため、バリア部材２６が退避位置に後退した状態を図示している。
【００１７】
バヨネット爪２２ａ〜ｃは、ベース部材２１の内周面から中央へ向かって突出するように形成されている。バリア部材２６は、コイルバネ２８によって背面側からベース部材２１側へ向かって付勢されている。なお、本実施形態においては、マウント部１３、１４ともに３個のバヨネット爪を設けているが、本発明はこれに限るものではなく、バヨネット爪の個数は２個あるいは４個でもよい。
【００１８】
また、ベース部材２１には、ロックピン２９が取り付けられており、レンズユニット１２がカメラボディ１１に装着された時に、このロックピン２９が、レンズユニット１２の背面に形成された係合穴４３（図４参照）と係合して、レンズユニット１２の回転がロックされる。これにより、レンズユニット１２が回転してカメラボディ１１から脱落することが防止される。なお、カメラボディ１１には、ボディ側マウント部１３の近傍に、ロック解除ボタン３０が設けられている。ロック解除ボタン３０は、レンズユニット１２を取り外す際に操作されるものであり、押圧することによってロックピン２９が退避してレンズユニット１２のロックを解除することができる。
【００１９】
接点基板２４ａ〜ｃは、バヨネット爪２２ａ〜ｃの背後にそれぞれ配置されている。この接点基板２４ａ〜ｃには、それぞれ複数（本実施形態では接点基板２４ａ〜ｃに各６個ずつ）の接点３１が実装されており、レンズユニット１２をカメラボディ１２に装着させるときの回転方向に沿って並列に配置されている。なお、接点の位置及び個数はこれらに限らず、適宜変更してもよい。
【００２０】
バリア部材２６は、通常時は上述のコイルバネ２８の付勢によって塞ぎ位置に付勢されており、レンズユニット１２が装着されたとき、あるいはマウントキャップ１５が装着されたときには、コイルバネ２８の付勢に抗して移動することによって退避位置となる。グランド部材２７は、金属製の薄板などから形成されており、バリア部材２６の前面中央に位置する円盤部２７ａと、この円盤部２７ａの周縁から突出する突出片２７ｂ(図７参照）とが一体に形成されている。このグランド部材２７は、もとは平板状に形成されたものがカシメ処理などによって突出片２７ｂがバリア部材２６の前面側から背面側に折り曲げられ、円盤部２７ａと突出片２７ｂとでバリア部材２６を挟み込むようにして固定されている。突出片２７ｂはコイルバネ２８と常時当接している。また、コイルバネ２８はアース接続部材３６と当接している。カメラボディ１１の内部には、メイン基板３７が内蔵されており、このメイン基板３７は、カメラボディ１１の各部を統括的に制御する回路などが実装されるとともに、各電子部品のグランド側が接続されるグランドパターンを有している。このメイン基板３７のグランドパターンには、上述したアース接続部材３６が接続されている。よって、グランド部材２７は、コイルバネ２８及びアース接続部材３６を介してメイン基板３７のグランドパターンと常時電気的に接続されている。また、グランド部材２７の円盤部２７ａの周縁には、後方に向かって徐々に直径が広がる方向に傾斜したテーパー面２７ｃが形成されている。
【００２１】
また、カメラボディ１１の前面上部には、ストロボ３２が設けられている。また、カメラ本体１１の上面には、撮影を行う際に押圧操作されるシャッタボタン３３、および、撮影モードと再生モードとを切り替える際に回転操作される切り替えダイヤル３４が設けられている。さらに、カメラ本ボディ１１の背面には、電源スイッチ、及びＬＣＤなどが設けられている。
【００２２】
レンズユニット１２は、レンズ鏡胴部４１と、レンズ側マウント部１４とからなり、レンズ側マウント部１４は、レンズ鏡胴部４１に固定されるマウント本体４６と、このマウント本体４６と一体に設けられたバヨネット爪４７ａ〜ｃと、電気信号接点４８、グランド接点４９とが設けられている。バヨネット爪４７ａ〜ｃは、ボディ側マウント部１３のバヨネット爪２２ａ〜ｃに合わせた位置及び形状に形成されており、互いに噛み合うようになっている。また、バヨネット爪４７ａ〜ｃのうち、１つのバヨネット爪４７ａには、その一端部に回転規制突起部４７ｄが一体に形成されている。回転規制突起部４７ｄは、バヨネット爪２２ａと当接することによりレンズユニット１２の回転を規制して所定の角度に位置決めする。
【００２３】
バヨネット爪４７ａ〜ｃには、複数の電気信号接点４８が設けられている。この電気信号接点４８は、ボディ側マウント部１３の電気信号接点３１に合わせた位置に設けられており、レンズユニット１２がカメラボディ１１に装着されたとき、接点３１、４８がそれぞれ互いに接触して接続状態なり、電気信号の授受が可能となる。また、バヨネット爪４７ａ〜ｃには、グランド部材２７のテーパー面２７ｃに合わせて傾斜したテーパー面５０が形成されており、このテーパー面５０をグランド部材２７のテーパー面２７ｃに合わせるようにして位置決めを行うことができる。
【００２４】
グランド接点４９は、電気信号接点４８から一定の間隔を置いた位置、本実施形態では、マウント本体４６の略中央部に設けられている。このグランド接点４９は、レンズユニット１２がカメラボディ１１に装着されたとき、カメラボディ１１のグランド部材２７と接触する。グランド接点４９には、レンズユニット１２に内蔵された各電子部品や制御回路などのグランドが接続されている。よって、グランド接点４９とグランド部材２７とが接触状態となったとき、レンズユニット１２の各電子部品や制御回路などのグランドがメイン基板３２のグランドパターンと電気的に接続した状態となる。
【００２５】
なお、レンズユニット１２には、撮影レンズ５１、撮像素子としてのＣＣＤ５２、このＣＣＤ５２から取得した撮像信号に基づいて画像データを形成する処理回路や、レンズユニットの各部を制御する制御回路などが設けられた回路基板などが内蔵されている。撮影レンズ５１を通してＣＣＤ５２に結像された被写体光が、ＣＣＤ５２によって撮像信号に光電変換される。そしてこの撮像信号に基づいて信号処理回路で形成された画像データは、接点３１，４８を介してカメラボディ１２へ転送され、記憶媒体に記憶される。
【００２６】
レンズユニット１２をカメラボディ１１に装着するときには、バヨネット爪２２ａ〜ｃの間にバヨネット爪４７ａ〜ｃを通して、マウント本体４６とベース部材２１とを当接状態とし、この当接状態を保持したままレンズユニット１２を光軸の回りに回転動作する。回転されたレンズユニット１２は、回転規制突起部４７ｄがバヨネット爪２２ａに当接することによって回転が規制され、所定の角度位置で停止する。なお、このときロックピン２９が係合穴４３に進入してロックされる。所定の角度位置で回転が規制されたマウント部１３，１４は互いのバヨネット爪２２ａ〜ｃ，４７ａ〜ｃが噛み合った状態となる。これによってレンズユニット１２は装着状態となる。
【００２７】
本実施形態を適用したマウントキャップ６０を以下に説明する。マウントキャップ６０は、詳しくは図５及び図６に示すように、キャップ本体６１、弾性部材６２、爪部材６３、及び止めネジ６４から構成される。このマウントキャップ６０は、ボディ側マウント部１３に取り付けられる。
【００２８】
キャップ本体６１は、図６に示すように、ボディ側マウント部１３のベース部材２１よりも一回り大きい直径の円盤状に形成されており、カメラボディ１１に装着されたとき、ボディ側マウント部１３を覆い隠す。また、キャップ本体６１には、弾性部材６２に嵌合する嵌合突起部６１ａと、ネジ穴６１ｂとが形成されている。
【００２９】
爪部材６３は、円筒部７１と、この円環部７１の周縁から突出するバヨネット爪７２ａ〜ｃと、バヨネット爪７２ａの一端部から連続する回転規制突起部７２ｄと、バヨネット爪７２ａ〜ｃとは所定の間隔を置いて位置する円盤状のベース部７３とが一体に形成されている。この爪部材６３は、レンズ側マウント部１４のバヨネット爪４７ａ〜ｃと同様の形状及び位置に、バヨネット爪７２ａ〜ｃが形成されているため、マウントキャップ６０はレンズユニット１２と同様の装着動作でカメラボディ１１に装着することができる。また、バヨネット爪７２ａ〜ｃには、バヨネット爪４７ａ〜ｃと同様に位置決め用のテーパー面５０が形成されている。ベース部７３には、ロックピン２６と係合する係合穴７３ａが形成されている。そして、マウントキャップ６０を装着状態とするとロックピン２６が係合穴７３ａに係合してロックされ、ロック解除ボタン３０を押圧するとロックピン２９が退避してロックが解除される。またベース部材７３には、ネジ穴７３ｂが形成されている。
【００３０】
弾性部材６２は、円盤部７４と、この円盤部７４の略中央から突出する突出部７５と、円盤部７４の周縁部且つ突出部７５と同じ面から突出する円環状のリブ７６とが一体に形成されている。また、円盤部７４には、止めネジ６４が挿通される貫通穴７４ａと、突出部７５及びリブ７６とは反対側の面から、突出部７５の内部まで切り欠かれた開口部７７が形成されている。なお、弾性部材としては、弾性を有し、且つ所定の形状に成形可能な材料から形成されていればよく、例えば、ゴム、エラストマなどからなる。リブ７６は、ボディ側マウント部１３のベース部材２１の直径とほぼ同じ寸法に形成されており、突出部７５は、グランド部材２７の位置及び大きさに合わせて形成されている。
【００３１】
マウントキャップ６０を組み立てるときには、弾性部材６３の突出部７５を爪部材６３の円環部７１の内周面に嵌合させるとともに、弾性部材６２のリブ７６の内周に爪部材６３のベース部７３を嵌合させる。さらに、弾性部材６２の開口部７７にキャップ本体６１の嵌合突起部６１ａを嵌合させて、爪部材６３とキャップ本体６１の間に弾性部材６２を挟みこんだ状態として、貫通穴７４ａに止めネジ６４を挿通させるとともに、止めネジ６４をネジ穴６１ｂ，７３ｂに螺合させて共締めすることにより一体化し、マウントキャップ６０が組み立てられる。なお、マウントキャップ６０の構成としては上述したようなネジ止めによって組み立てを行うものに限らず、接着剤や、部品同士の凹凸の嵌合で固着して組み立てるようにしてもよい。
【００３２】
本実施形態のマウントキャップ６０をカメラボディ１１に装着とするときには、先ず、グランド部材２７に弾性部材６３の突出部７５を当接させる（図７に示す状態）。なお、このとき、バヨネット爪７２ａ〜ｃのテーパー面５０をグランド部材２７のテーパー面２７ｃに合わせて当接させているため、マウントキャップ６０が位置決めされ、突出部７５とグランド部材２７とが確実に当接した状態となる。
【００３３】
そして、図７の状態から、バヨネット爪２２ａ〜ｃの間にバヨネット爪７２ａ〜ｃを通してマウントキャップ６０を押し込むと、突出部７５がバリア部材２６及びグランド部材２７を押圧し、コイルバネ２８の付勢に抗してグランド部材２７とともにバリア部材２６が退避位置へ移動する。そして、弾性部材６３のリブ７６が、ボディ側マウント部１１のベース部材２１に当接するまでマウントキャップ６０が押し込まれる。このとき、リブ７６は、キャップ本体６１とベース部材２１との間に挟まれるため軸方向に押圧を受けて若干潰れるように収縮する。よって、リブ７６はベース部材２１に密着した状態となる。そして、リブ７６とベース部材２１の密着状態を保持したままマウントキャップ６０を回転方向Aに沿って回転させると、バヨネット爪２２ａ〜ｃ、及びバヨネット爪７２ａ〜ｃが互いに噛み合ってマウントキャップ６０がボディ側マウント部１１に装着される（図８に示す状態）。このようにしてマウントキャップ６０がカメラボディ１１に装着状態となったとき、リブ７６がベース部材２１に密着しているため、ベース部材２１の開口部はマウントキャップ６０によって密閉された状態となり、ボディ側マウント部１３やカメラボディ１１の内部への塵埃の進入を確実に防止することができる。また、同時に突出部７５がグランド部材２７に密着しているので、グランド部材２７に付着した塵埃を除去し、マウント１３の内部に堆積したり、カメラボディ１１内部へ進入することを防ぐことができる。
【００３４】
なお、上記第１の実施形態においては、マウントキャップをボディ側マウント部に密着させることで塵埃を防ぐ構成としているが、本発明は、これに限るものではなく、以下に説明する本発明の第２実施形態では、マウント部に付着した塵埃をマウントキャップを回転動作することによって取り除くことで内部への塵埃の進入を防ぐ構成を例示する。なお、本実施形態のマウントキャップを装着するカメラボディ及びレンズユニットとしては、上記第１実施形態と同じものを使用する。本実施形態のマウントキャップ８０は、図９に示すように、キャップ本体８１、爪部材８２、摺動突起部８３、吸着体８４とからなる。キャップ本体８１は、ボディ側マウント部１３のベース部材２１の外径に合わせて形成されている。爪部材８２は、レンズ側マウント部１４と略同形状のバヨネット爪８６ａ〜ｃと、回転規制突起部８６ｄと、マウント本体８７とが一体に形成されており、キャップ本体８１と固着されている。また、バヨネット爪８６ａ〜ｃは、レンズユニット１２のバヨネット爪４７ａ〜ｃと同様に、カメラ側マウント部１３と位置決めするためのテーパー面５０が形成されている。
【００３５】
吸着体８４は、円盤形状に形成され、爪部材８２の略中央部に位置し、その周辺を囲むように摺動突起部８３が配置されている。これら吸着体８４及び摺動突起部８３は、ボディ側マウント部１３のグランド部材２７に合わせた位置に設けられている。摺動突起部８３は、回転軸ＣＬを中心にして渦巻を巻くように、すなわち、回転方向Aにおいて、徐々に中心に向かって近接していくように配置された円弧状に形成されている。これによって、摺動突起部８３をグランド部材２７に当接させた状態で回転方向Aに回転させると、グランド部材２７に付着した塵埃を取り除き、且つ摺動突起部８３の円弧に沿って渦巻の中心、すなわち吸着体８４へと塵埃を誘い込むことができる。なお、吸着体８４としては、塵埃等を吸着保持しやすいように、粘着性を有する樹脂などから形成される。
【００３６】
本実施形態の作用について以下に説明する。マウントキャップ８０をカメラボディ１１に装着するときには、バヨネット爪２２ａ〜ｃの間にバヨネット爪８６ａ〜ｃを通して、摺動突起部８３がバリア部材２６及びグランド部材２７を押圧し、コイルバネ２８の付勢に抗してグランド部材２７とともにバリア部材２６が退避位置へ移動する。そして、マウント本体８７とベース部材２１が当接した状態でマウントキャップ８０を回転方向Aに沿って回転させると、バヨネット爪２２ａ〜ｃ、及びバヨネット爪８６ａ〜ｃが互いに噛み合ってマウントキャップ８０がボディ側マウント部１３に装着される。このとき、上述したように摺動突起部８３がグランド部材２７の表面を摺動してグランド部材に付着した塵埃を取り除き、且つ吸着体８４へと塵埃を誘い込む。そして摺動突起部８３によって中心に集められた塵埃は吸着体８４によって吸着され、一箇所に集められる。このようにして装着動作ごとにグランド部材に付着するゴミを取り除き、吸着体８４に集めることができるため、カメラボディ１１の内部へと塵埃が進入することを防ぐことができる。
【００３７】
なお、本発明は上記第１および第２の実施形態に限定されるものではなく、以下で説明する第３の実施形態においては、上記第１及び第２の実施形態の構成を組み合わせた構成を例示する。この第３の実施形態を適用したマウントキャップを図１０に示す。このマウントキャップ１００は、キャップ本体６１、爪部材６２、弾性部材１０３、吸着体１０４、止めネジ６４からなる。なお、上記第１実施形態と同様の部品・部材を使用しているものについては同符号を付して説明を省略する。吸着体１０４は、弾性部材１０２に固着されており、キャップ本体６１、爪部材６２、及び弾性部材１０２を上記第１実施形態と同様にネジ止めすることによってマウントキャップ１００が組み立てられる。
【００３８】
本実施形態の弾性部材１０２は、円盤部１０６、リブ１０７、突出部１０８とともに摺動突起部１０９が一体に形成されている。摺動突起部１０９は、突出部１０８の先端から一体に形成され、上記第２の実施形態の摺動突起部８３と同様の形状をしており、摺動突起部８３と同様にグランド部材２７に合わせた位置に配され、グランド部材２７の表面を摺動するときに塵埃を中心に集める。そして、突出部１０８の略中央には、円盤形状の吸着体１０４が設けられており、摺動突起部１０９によって集められた塵埃などが吸着される。さらに、弾性部材１０２には、上記第１実施形態同様にリブ１０７が設けられているため、マウントキャップ１００をカメラボディ１１に装着すると、リブ１０７がベース部材２１に密着し、塵埃の進入を防ぐことができる。
【００３９】
なお、上記第３実施形態においては、摺動突起部８３、１０９の略中央に円盤状の吸着体８４，１０４を配置しているが、吸着体の配置及び形状はこれに限るものではなく、例えば図１１に示すマウントキャップ１１０のように、摺動突起部１０９の中心に位置する円盤状の凸部１１１を弾性部材１０３と一体に形成し、この凸部１１１の外周面に円筒状の吸着体１１４を設ける。なお、吸着体１１４は、例えば凸部１１１の外周面に接着するなどして固定される。これによって、上記第２、第３実施形態と同様に摺動突起部１０９が集めた塵埃を吸着体１１４によって集めることができる。
【図面の簡単な説明】
【００４０】
【図１】デジタルカメラの構成を示す斜視図である。
【図２】本発明を適用したマウントキャップ及びカメラボディを示す斜視図である。
【図３】カメラボディのマウント部の構成を示す平面図である。
【図４】レンズユニットのマウント部周辺の構成を示す斜視図である。
【図５】マウントキャップをマウント側から見た斜視図である。
【図６】マウントキャップの構成を示す分解斜視図である。
【図７】装着動作中のマウントキャップ及びカメラボディの状態を示す要部断面図である。
【図８】装着状態のマウントキャップ及びカメラボディの状態を示す要部断面図である。
【図９】第２実施形態を適用したマウントキャップのマウント部周辺の構成を示す斜視図である。
【図１０】第３実施形態を適用したマウントキャップをカメラボディに装着した状態を示す要部断面図である。
【図１１】第３実施形態の変形例を示す要部断面図である。
【符号の説明】
【００４１】
１０  デジタルカメラ
１１  カメラボディ
１２  レンズユニット
１３  ボディ側マウント部
１４  レンズ側マウント部
１５，８０，１００，１１０  マウントキャップ
６２，１０３  弾性部材
８３，１０９  摺動突起部
８４，１０４  吸着体
【図１】
2008015016.tif 000003
【図２】
2008015016.tif 000004
【図３】
2008015016.tif 000005
【図４】
2008015016.tif 000006
【図５】
2008015016.tif 000007
【図６】
2008015016.tif 000008
【図７】
2008015016.tif 000009
【図８】
2008015016.tif 000010
【図９】
2008015016.tif 000011
【図１０】
2008015016.tif 000012
【図１１】
2008015016.tif 000013